(57)【特許請求の範囲】
【請求項１】
家具（３）のための２枚のスライド扉（２ａ、２ｂ）の制動復帰装置（１）であって、
樹脂材料で作られた直線状中空体（８ａ、８ｂ）を備え、該直線状中空体（８ａ、８ｂ）は、前記家具の天面部に一体化されたプロファイル部（３１ｂ、３１ａ）に摺動可能に結合され、台車（１１ａ、１１ｂ、１４ａ、１４ｂ）を介して前記スライド扉（２ａ、２ｂ）のいずれか一方に固定された同調体（１０ａ、１０ｂ）に対して結合され、
前記直線状中空体（８ａ、８ｂ）は、双方向衝撃吸収装置（１９）を収容し、第１のガイド部又は第２のガイド部（６ａ、６ｂ）と結合された第１又は第２のストローク制限磁化軸部（２５ａ、２５ｂ、２６ａ、２６ｂ）と選択的に接触し、
前記双方向衝撃吸収装置（１９）は、軸部（２１）によって軸方向に接続された一組の中空減速シリンダ（２０ａ、２０ｂ）を備え、
前記軸部は、その中心線上にディスク（２２）を有しており、該ディスク（２２）と減速シリンダ（２０ａ、２０ｂ）の対向端部との間には円筒形圧縮コイルばね（２３ａ、２３ｂ）が介在しており、前記双方向衝撃吸収装置（１９）は、静止状態で、前記減速シリンダ（２０ａ、２０ｂ）が前記直線状中空体（８ａ、８ｂ）の端部からわずかに突出するような寸法を有する
ことを特徴とするスライド扉の制動復帰装置。
【請求項２】
前記減速シリンダ（２０ａ、２０ｂ）と同軸上に金属製のジャケット（２４ｂ、２４ａ）が結合され、順に前記直線状中空体（８ａ、８ｂ）の端部に同軸に配置されている
ことを特徴とする請求項１に記載のスライド扉の制動復帰装置。
【請求項３】
前記家具は、２つの側面部（４ａ、４ｂ）、天面部（５）及び２つのスライド扉（２ａ、２ｂ）を備え、該スライド扉は、互いに重複可能に互いに平行な面上にあり、前記天面部には、外扉（２ａ）のための第１のガイド部（６ａ）と、内扉（２ｂ）のための、該第１のガイド部と平行であって前記天面部（５）の前端縁（７）に近接して配置された第２のガイド部（６ｂ）とがあり、前記制動復帰装置（１）は、前記扉（２ａ、２ｂ）それぞれと結合され、前記プロファイル部（３１ａ）は、前記第１及び第２のガイド部（６ａ、６ｂ）の間の中間領域に配置されるか、又は、前記前端縁（７）に対して反対方向にある第１のガイド部（６ａ）に隣接する領域に配置される
ことを特徴とする請求項１又は２に記載のスライド扉の制動復帰装置。
【請求項４】
前記直線状中空体（８ａ）は、実質的にＵ字状の金属製ブラケットを備える第１の台車（１１ａ）を介して外扉（２ａ）に固定された同調体（１０ａ）に対して結合され、該金属製ブラケットの一方の翼部が前記外扉（２ａ）の内側側壁（１２ａ）の端部に近接して結合され、第１の車輪（１３ａ）が該金属製ブラケットの他方の翼部と回動可能に結合され、前記第１のガイド部（６ａ）においてスライドし、第２の台車（１４ａ）に備えられた実質的にＵ字状の金属製ブラケットの一方の翼部が前記外扉（２ａ）の前記内側側壁（１２ａ）の反対側の端部に近接して結合されており、第２の車輪（１５ａ）が該金属製ブラケットの他方の翼部と回転可能に結合し、前記第１のガイド部（６ａ）でスライドする
ことを特徴とする請求項１乃至３のいずれか１つに記載のスライド扉の制動復帰装置。
【請求項５】
前記直線状中空体（８ｂ）は、第１の台車（１１ｂ）を介して内扉（２ｂ）に固定された同調体（１０ｂ）に対して結合され、前記第１の台車（１１ｂ）は、実質的にＵ字状の金属製ブラケットで構成され、該金属製ブラケットの一方の翼部は、前記内扉（２ｂ）の内側側壁（１２ｂ）の端部に近接して結合されており、第１の車輪（１３ｂ）が該金属製ブラケットの他方の翼部と回動可能に結合され、第２のガイド部（６ｂ）でスライドし、第２の台車（１４ｂ）に備えられた実質的にＵ字状の金属製ブラケットの一方の翼部が前記内扉（２ｂ）の前記内側側壁（１２ｂ）の反対側の端部に近接して結合されており、第２の車輪（１５ｂ）が該金属製ブラケットの他方の翼部と回動可能に結合し、前記第２のガイド部（６ｂ）でスライドする
ことを特徴とする請求項１乃至３のいずれか１つに記載のスライド扉の制動復帰装置。
【請求項６】
前記第１のストローク制限磁化軸部（２５ａ）と前記第２のストローク制限磁化軸部（２５ｂ）は、前記第１及び第２のガイド部（６ａ、６ｂ）の間の中間領域に配置されたプロファイル部（３１ａ）に結合され、前記第１のストローク制限磁化軸部（２６ａ）と前記第２のストローク制限磁化軸部（２６ｂ）は、前記家具の天面部（５）の前端縁（７）に対して反対方向にある前記第１のガイド部（６ａ）に隣接する領域に配置された前記プロファイル部（３１ｂ）と結合されている
ことを特徴とする請求項１乃至５のいずれか１つに記載のスライド扉の制動復帰装置。
【請求項７】
前記第１及び第２のストローク制限磁化軸部（２５ａ、２５ｂ）は、前記直線状中空体（８ａ）に対して軸方向に整列して配置され、前記第１及び第２のストローク制限磁化軸部（２６ａ、２６ｂ）は、前記直線状中空体（８ｂ）に対して軸方向に整列して配置されており、前記第１のストローク制限磁化軸部（２５ａ、２６ａ）が前記家具の側端部（２７ａ、２７ｂ）に近接し、他の前記第２のストローク制限磁化軸部（２５ｂ、２６ｂ）が前記スライド扉が移動した状態となり得る点に位置するように、前記第１及び第２のストローク制限磁化軸部（２５ａ、２５ｂ、２６ａ、２６ｂ）は関連付けされている
ことを特徴とする請求項１乃至６のいずれか１項に記載のスライド扉の制動復帰装置。
【請求項８】
家具（３）のための２枚のスライド扉（２ａ、２ｂ）の制動復帰装置（１）であって、
樹脂材料で作られた直線状中空体（８ａ、８ｂ）を備え、該直線状中空体（８ａ、８ｂ）は、前記家具の天面部に一体化されたプロファイル部（３１ｂ、３１ａ）に摺動可能に結合され、台車（１１ａ、１１ｂ、１４ａ、１４ｂ）を介して前記スライド扉（２ａ、２ｂ）のいずれか一方に固定された同調体（１０ａ、１０ｂ）に対して結合され、
前記直線状中空体（８ａ、８ｂ）は、双方向衝撃吸収装置（１９）を収容し、第１のガイド部又は第２のガイド部（６ａ、６ｂ）と結合された第１又は第２のストローク制限磁化軸部（２５ａ、２５ｂ、２６ａ、２６ｂ）と選択的に接触し、
前記直線状中空体（８ａ、８ｂ）はそれぞれ、２つの傾斜面（１６ａ、１６ｂ）を画定するように、側面視で実質的に逆Ｖ字状に形成された上面部を備え、その頂点には、前記同調体（１０ａ、１０ｂ）から横方向に突出した軸部（１８ａ、１８ｂ）がスナップ作用でその中へ結合する第１の受座（１７ａ、１７ｂ）を備える
ことを特徴とするスライド扉の制動復帰装置。
【請求項９】
家具（３）のための２枚のスライド扉（２ａ、２ｂ）の制動復帰装置（１）であって、
樹脂材料で作られた直線状中空体（８ａ、８ｂ）を備え、該直線状中空体（８ａ、８ｂ）は、前記家具の天面部に一体化されたプロファイル部（３１ｂ、３１ａ）に摺動可能に結合され、台車（１１ａ、１１ｂ、１４ａ、１４ｂ）を介して前記スライド扉（２ａ、２ｂ）のいずれか一方に固定された同調体（１０ａ、１０ｂ）に対して結合され、
前記直線状中空体（８ａ、８ｂ）は、双方向衝撃吸収装置（１９）を収容し、第１のガイド部又は第２のガイド部（６ａ、６ｂ）と結合された第１又は第２のストローク制限磁化軸部（２５ａ、２５ｂ、２６ａ、２６ｂ）と選択的に接触し、
前記第１及び第２のストローク制限磁化軸部（２５ａ、２５ｂ）はそれぞれ、前記プロファイル部（３１ａ、３１ｂ）に結合可能な基礎部（３０）から突出するスリーブ（２９）に対して軸方向に配置された円筒状磁石（２８）を備え、前記スリーブ（２９）は、前記直線状中空体（８ａ、８ｂ）のジャケット（２４ａ、２４ｂ）内に選択的かつ摺動可能に配置することができる
ことを特徴とするスライド扉の制動復帰装置。
【発明の詳細な説明】
【技術分野】
【０００１】
本発明は、特に家具等のための、扉を面一の閉状態又は他の状態にスライドさせる制動復帰装置に関する。
【背景技術】
【０００２】
昨今、通常のヒンジ付き扉の代替として、一般にキャビネットや家具、及びドアや窓枠、又は開放時に省スペースを必要とする閉鎖要素の他のアプリケーションに適用可能な解決手段が知られている。
【０００３】
一般に、このタイプの扉は、一つ又は複数の扉で構成されており、各扉は、閉鎖される空間の天井、必要に応じて床に適用された上ガイド部と下ガイド部で構成されたレールによって案内される転動手段を備えたブラケットを有する。
【０００４】
スライド扉を閉じたいときには必要に応じて係合を外すことが可能である開放位置へ、又は、扉を案内しながら閉じたいときには閉鎖位置へ、扉を復帰させるための装置を扉に取り付けることが知られている。
【０００５】
従来のスライド扉について見出された課題は、実際には、扉を完全に開いたり、完全に閉じるときに、扉が部分的に閉じたまま又は部分的に開いたままとなる、あるいは、ドア枠又は家具の側面にバタンと当たることがあるということある。
【０００６】
このような欠点に対する部分的な解決策は、扉の移動を助けて案内するように構成された装置について開示する特許文献１から知られている。この装置は、ダンパと、ばねと、上向きのＬ字状のガイド部の中を摺動可能な案内軸部を含む結合部材に結合された一対の歯の内側に収容可能な同調部材（entrainment element）と、が内部に配置された容器を備える。
【０００７】
前記装置は、区画の一端に近接して配置されている。
【０００８】
例えば、扉の開放時に、ある位置で装置は、案内軸部がＬ字状のガイド部を介して、安定した定常状態に配置されるまでダンパを作動させる同調部材と接続する。扉の閉鎖時に、同調部材は、ダンパを作動させると、一対の歯と接触し、扉が完全に閉じた状態となるまで扉と共にゆっくりと動く。
【０００９】
しかしながら、このような解決策にはいくつかの欠点がある。前記装置は、実際には、例えばＬ字状のガイド部と、該ガイド部に入れられた軸部と、の間の部材間の遊びに非常に注意をしながら事前に組み立てが必要な複数の部材によって構成されており、構造面で複雑である。何らかの固着や摩擦が生じることで装置が作動しなくなるため、扉の正確な閉鎖や完全な開放ができなくなるためである。
【００１０】
また、従来の復帰装置は、そのストローク中にリターンスプリングの力が一定ではないことに起因する他の不具合を有している。
【００１１】
そのため、ばねの力が弱いために、ストロークの最後の部分に沿って扉が戻ってしまう問題が生じたり、反対に、扉の解除時に、ばねの力が強すぎて、ストロークの最後の部分で扉が開いてしまうという問題がある。
【００１２】
これにより、機械的手段によって動作中に扉が復帰機構へ接続されるのに伴って、動作中に煩わしいノイズが発生する。
【先行技術文献】
【特許文献】
【００１３】
【特許文献１】欧州特許出願公開第１６５８７８５（Ａ１） 号明細書
【発明の概要】
【発明が解決しようとする課題】
【００１４】
したがって、本発明の目的は、上記の技術的課題を解決し、引用された先行技術の欠点を排除し、固着することがなく、家具の壁にバタンと当たって閉まるのを防止しながら、ドア又は扉が最適に閉鎖されると共に案内されながら開放されるようにできる簡単な構造を有し、ドア又は扉に適用可能な制動復帰装置を提供することである。
【００１５】
この目的の範囲内で、本発明の目的は、容易に従来の家具の扉又はドアに適用されて制動復帰装置を提供することである。
【００１６】
別の目的は、寸法や重量を抑えた低価格の制動復帰装置を提供することにある。
【００１７】
本発明の別の目的は、様々な動きにおける摩擦や遊びの原因を抑制可能とすることで、扉の動き及びスライドを最適化することである。
【００１８】
別の目的は、その動作中に煩わしいノイズが出ない制動復帰装置を提供することである。
【課題を解決するための手段】
【００１９】
これらの目的、及び以下でより明確となるその他の目的は、家具の天面部に一体化されたプロファイル部と摺動可能に結合され、自動的にかつスナップ作用を伴って、前記扉の一方に固定された同調体（entrainer）に結合可能である、樹脂材料で形成された直線状中空体を備え、該直線状中空体は、双方向衝撃吸収装置を収容し、第１のガイド部又は第２のガイド部と結合する第１又は第２のストローク制限磁化軸部と選択的に接触することを特徴とする、特に家具のためのスライド扉の制動復帰装置によって達成される。
【００２０】
本発明のさらなる特徴及び利点は、以下の添付の図面において非限定的な例として示された、特定の、排他的ではない実施形態の詳細な説明からより明瞭になる。
【図面の簡単な説明】
【００２１】
【図１】閉状態の２つの扉を有するキャビネットに適用された本装置の斜視図である。
【図２】本装置の斜視図である。
【図３】本装置の分解図である。
【図４】直線状中空体の正面図である。
【図５】直線状中空体を上から見た図である。
【図６】図５のＶＩ−ＶＩ線に沿った断面図である。
【図７】直線状中空体が磁化軸部と接触した状態における図６と同様の図である。
【図８】磁化軸部の斜視図である。
【図９】双方向衝撃吸収装置の正面図である。
【図１０】磁化軸部の上から見た図である。
【図１１】図１０のＸＩ−ＸＩ線に沿った断面図である。
【図１２】扉が重なった第１の状態における本装置の図１と同様の図である。
【図１３】扉が重なった第２の状態における本装置の図１と同様の図である。
【図１４】図１２のＸＩＶ−ＸＩＶ線に沿った断面図である。
【図１５】図１２のＸＶ−ＸＶ線に沿った断面図である。
【発明を実施するための形態】
【００２２】
図示の実施形態において、特定の実施例に関して示される個々の特徴は、実際には、他の実施形態に存在する他の異なる特徴と置換することができる。
【００２３】
図面を参照するに、参照符号１は、特に家具３等に用いられるスライド可能な扉２ａ、２ｂのための装置全体を表している。
【００２４】
特定の実施形態において、家具は、両側部４ａ、４ｂと、天面部５と、２つの扉２ａ、２ｂと、を備え、該扉は、互いに重複可能な状態とするために、互いに平行な平面上に配置されている。
【００２５】
天面部５上には、内扉２ｂのための第１のガイド部６ａと、該第１のガイド部６ａと平行であり、天面部５の前端部７に近接して配置された第２のガイド部６ｂと、がある。
【００２６】
したがって、本装置１は、各扉に結合され、樹脂材料で作られており、図１４に示すように、第１及び第２のガイド部６ａ、６ｂの間の中間領域に配置された適合プロファイル部３１ａに対して、又は、図１５に示すように、前端縁７の反対側にある、第１のガイド部６ａに隣接する領域に配置された適合プロファイル部３１ｂに対して、一対の第１のスライダ部９ａ、９ｂによって摺動可能に結合された直線状中空体８ａ、８ｂを備える。
【００２７】
対応する第１の台車１１ａを介して前記外扉２ａに固定された同調体１０ａに対して、直線状中空体８ａを自動的にかつスナップ作用を伴って結合可能である。後者は、実質的にＵ字状の金属製ブラケットで構成され、その翼部の一方は、外扉２ａの内側側壁１２ａの端部に近接して結合されており、第１の車輪１３ａが他方の翼部と回動可能に結合され、第１のガイド部６ａに摺動可能に結合されている。
【００２８】
第２の台車１４ａが外扉２ａの内側側壁１２ａの反対側の端部に近接して結合されており、第２の車輪１５ａが第１のガイド部６ａにおける他の翼部及び滑動部に対して回転可能に結合されている。
【００２９】
同様に、対応する第１の台車１１ｂを介して前記内扉２ｂに固定された同調体１０ｂに対して、直線状中空体８ｂを自動的にかつスナップ作用を伴って結合可能である。後者は、実質的にＵ字状の金属製ブラケットで構成され、その翼部の一方は、内扉２ｂの内側側壁１２ｂの端部に近接して結合されており、第１の車輪１３ｂが他方の翼部と回動可能に結合され、第１のガイド部６ｂに摺動可能に結合されている。
【００３０】
第２の台車１４ｂが内扉２ｂの内側側壁１２ｂの反対側の端部に近接して結合されており、第２の車輪１５ｂが第２のガイド部６ｂにおける他の翼部と滑動部に対して回転可能に結合されている。
【００３１】
直線状中空体８ａ、８ｂは、２つの傾斜面１６ａ、１６ｂを画定するように、側面視で実質的に逆Ｖ字状に形成された上面部を有し、その頂点には、同調体１０ａ、１０ｂから横方向に突出した軸部１８ａ、１８ｂがスナップ作用でその中へ結合する第１の受座１７ａ、１７ｂを備える。
【００３２】
キャビネットの組み立ての際、直線状中空体８ａ、８ｂにまだ結合されていない扉２ａ、２ｂをスライドさせることによって、各同調体１０ａ、１０ｂの軸部１８ａ、１８ｂは、まず各傾斜面１６ａ、１６ｂ上を摺動し、それからスナップ作用によって第１の受座１７ａ、１７ｂの中に配置されることによって、第１の受座１７ａ、１７ｂを止めることで、各直線状中空体８ａ、８ｂを止める。
【００３３】
直線状中空体８ａ、８ｂは、その中に部分的かつ摺動可能に結合された軸部２１によって軸方向に接続された一対の中空減速シリンダ部２０ａ、２０ｂを備える双方向衝撃吸収装置１９を収容する。
【００３４】
軸部２１は、その中心線おいて、円筒形圧縮コイルばね２３ａ、２３ｂのディスク２２と、減速シリンダ２０ａ、２０ｂの対向端部と、の間に介在するディスク２２に有している。
【００３５】
双方向衝撃吸収装置１９の寸法は、停止時に減速シリンダ２０ａ、２０ｂが直線状中空体８ａ、８ｂの端部を越えてわずかに突出するようなものである。
【００３６】
金属ジャケット２４ａ、２４ｂは、減速シリンダ２０ａ、２０ｂと同軸上にあり、直線状中空体８ａ、８ｂの端部に同軸上に配置されている。
【００３７】
本装置１は、各直線状中空体８ａ、８ｂのために、第１のストローク制限磁化軸部２５ａ、２６ａ及び第２のストローク制限磁化軸部２５ｂ、２６ｂを備えている。
【００３８】
第１の磁化軸部２５ａと第２の磁化軸部２５ｂは、第１及び第２のガイド部６ａ、６ｂの間の中間領域に配置された適合プロファイル部３１ａに結合されている。
【００３９】
対照的に、第１の磁化軸部２６ａと第２の磁化軸部２６ｂは、前端縁７に対して反対側にある第１のガイド部６ａに隣接する領域に配置された適合プロファイル部３１ｂと結合されている。
【００４０】
第１及び第２の磁化軸部２５ａ、２５ｂは、直線状中空体８ａと軸方向に整列して配置される一方で、第１及び第２の磁化軸部２６ａ、２６ｂは、直線状中空体部８ｂと軸方向に整列して配置される。
【００４１】
磁化軸部２５ａ、２６ａは、家具の側端部２７ａ、２７ｂに近接しており、他の磁化軸部２５ｂ、２６ｂは扉が移動した状態となり得る点に位置するように、第１及び第２のストローク制限磁化軸部２５ａ、２５ｂ、２６ａ、２６ｂは関連付けされている。
【００４２】
第１及び第２の磁化軸部２５ａ、２５ｂ、２６ａ、２６ｂの各々は、適合プロファイル部３１ａ、３１ｂに結合可能な基礎部３０から突出するスリーブ２９の軸方向に配置された円筒状の磁石２８を備えている。
【００４３】
スリーブ２９は、直線状中空体８ａ、８ｂのジャケット２４ａ、２４ｂの内側に選択的かつ摺動可能に配置することができる。
【００４４】
本装置は以下のように動作する。直線状中空体８ａ、８ｂを同調体１０ａ、１０ｂへの結合し、第１の台車部１１ａ、１１ｂと第２の台車部１４ａ、１４ｂにそれぞれ結合させた後、図１に示すように、扉が閉鎖状態から開始し、扉、例えば外扉２ａが開放されると、直線状中空体８ａは、第１のストローク制限磁化軸部２５ａから外れた後、第２の磁化軸部２５ｂに係合する。
【００４５】
このように、磁石２８は、ジャケット２４ａと接触し、直線状中空体８ａの動作を遅くし、ばね２３ａ、２３ｂで留める。
【００４６】
磁石の使用によれば、開放時と閉鎖時の両方で一定の力を用いることができる。
【００４７】
したがって、磁石２８は、ストローク制限に到達するまで、最適かつ連続的にジャケット２４ａを引き付けることができる。
【００４８】
実際に、本発明は、意図された目標及び目的を完全に達成し、磁石の使用のおかげもあって、固着しなくなり、ドア又は扉を適切に案内しながら開閉することができる一方で、扉が家具の壁にバタンと当たって閉まるのを防止しつつ、既存のドアや扉を含む、ドア又は扉に適用することができる簡易な構造を備えた装置が得られることが見出された。
【００４９】
また、装置の重量、寸法及びコストを抑制すると共に、扉の動きやスライドを最適化するように、様々な動きにおける摩擦や遊びの要素を抑制することができる。
【００５０】
当然に、本発明の個々の構成要素の使用材料及び寸法は、特定の要件に応じてより適切なものであってもよい。
【００５１】
特定の異なる機能をもたらす種々の手段は、図示された実施形態のみにおいて共存するものではなく、図示されていない多数の実施形態において存在してもよい。      
【００５２】
有利、便利等なものとして上述した特性は、除外しても、又は同等の特性により置換してもよい。
【００５３】
本出願が優先権を主張するイタリア国特許出願第２０１３Ａ００００７２号明細書の開示は、参照により本明細書に組み込まれている。
【００５４】
請求項に記載された技術的特徴に参照符号が付いている場合、それらの参照符号は、請求項の理解を容易にするためだけに入れられているので、そのような参照符号による例示によって指定される各要素の解釈に、そのような参照符号はいかなる限定的影響も及ぼさない。
【図１】
0006562904.tif 000002
【図２】
0006562904.tif 000003
【図３】
0006562904.tif 000004
【図４】
0006562904.tif 000005
【図５】
0006562904.tif 000006
【図６】
0006562904.tif 000007
【図７】
0006562904.tif 000008
【図８】
0006562904.tif 000009
【図９】
0006562904.tif 000010
【図１０】
0006562904.tif 000011
【図１１】
0006562904.tif 000012
【図１２】
0006562904.tif 000013
【図１３】
0006562904.tif 000014
【図１４】
0006562904.tif 000015
【図１５】
0006562904.tif 000016